(57)【要約】      （修正有）【課題】燻蒸シート等のシートを容易に運搬でき、かつシートの残量が少なくなっても運搬時にその形状が崩れ難く、シートの取扱い性に優れたシート運搬品を提供する。【解決手段】シートを巻き回したロール巻きシート２と、ロール巻きシート２を収納して運搬するシート運搬具３とを備え、シート運搬具３が、ロール巻きシート２をその軸方向を水平にして回動可能に支持するシート支持部材１０と、ロール巻きシート２を支持したシート支持部材１０を収納する収納本体２０と、収納本体２０の外面に設けられた肩掛けベルトと、を有するシート運搬品１。【選択図】図１
2012020819.tif 000002
【特許請求の範囲】
【請求項１】
シートを巻き回したロール巻きシートと、前記ロール巻きシートを収納して運搬するシート運搬具とを備えたシート運搬品であって、
前記シート運搬具が、前記ロール巻きシートをその軸方向を水平にして回動可能に支持するシート支持部材と、前記ロール巻きシートを支持したシート支持部材を収納する収納本体と、前記収納本体の外面に設けられた肩掛けベルトと、を有することを特徴とするシート運搬品。
【請求項２】
前記シート運搬具が、前記収納本体を地面に固定する固定部材を有する、請求項１に記載のシート運搬品。
【請求項３】
前記ロール巻きシートが、紙管にシートが巻き回されたロール巻きシートであり、前記紙管の両端が前記シート支持部材に支持される請求項１または２に記載のシート運搬品。
【発明の詳細な説明】
【技術分野】
【０００１】
本発明は、シート運搬品に関する。
【背景技術】
【０００２】
松くい虫による松の集団枯死を防ぐ方法として、枯死した松を伐倒し、その伐倒材を燻蒸して該伐倒材に残った松くい虫を駆除する方法が知られている（例えば、特許文献１、２）。通常、大きなサイズ（例えば、幅４ｍ×長さ３０ｍ程度）の燻蒸シートを松の伐採現場まで運び、該燻蒸シートを随時適度な大きさ（４ｍ程度の正方形）に切り取って伐倒材を覆った後、その中に薬剤を注入することにより燻蒸駆除が行われる。そのため、運搬の際の燻蒸シートは非常に大きく、従来は燻蒸シートを短手方向（幅２ｍ）に半折りして紙管に巻き回したものを肩に担いで運んでいた。しかし、紙管に巻き回した燻蒸シートは１５ｋｇ程度と重く、前述のような方法では運搬時および燻蒸駆除の施工時における燻蒸シートの取扱い性が悪かった。
【０００３】
そこで、燻蒸シートを容易に運搬して取扱い性を改善する方法として、燻蒸シートを折り畳んで収納できるシート運搬具を使用して燻蒸シートを伐採現場まで運搬した後、該シート運搬具から燻蒸シートを引き出して、適度な大きさに切り取って使用する方法が示されている（特許文献３、４）。前記シート運搬具を使用する施工方法によれば、燻蒸シートの運搬が容易で、かつ簡便な作業で松くい虫の燻蒸駆除を実施できる。
【先行技術文献】
【特許文献】
【０００４】
【特許文献１】特開２００１−２５３４７号公報
【特許文献２】特開２００３−２３９４７号公報
【特許文献３】特開２０１０−２２２９９号公報
【特許文献４】特開２０１０−２３８９２号公報
【発明の概要】
【発明が解決しようとする課題】
【０００５】
しかし、特許文献３、４に記載の方法では、燻蒸駆除の実施によって燻蒸シートの残量が少なくなった時に、重力および運搬時の振動等によって運搬具内で燻蒸シートが動き、該燻蒸シートの折り畳み形状が崩れやすくなる。つまり、燻蒸駆除の初期では運搬具内に燻蒸シートが密な状態で収納されているため、運搬具内に隙間があまりなく、振動等によっても燻蒸シートが動き難く折り畳み形状が崩れ難い。しかし、燻蒸シートの残量が少なくなるに従って、運搬具内に収納されている燻蒸シートと運搬具の間に隙間ができるため、振動等により燻蒸シートが動いて折り畳み形状が崩れやすくなる。これを防止するために、運搬具にシートを保持するための特別な構造を設けると、構造が複雑となり作業者が運搬具を使いこなすのに時間がかかる。
一方、運搬具内で燻蒸シートの折り畳み形状が崩れるのを抑制する方法としては、燻蒸シートの滑り性を低くする方法が考えられる。しかし、振動等の影響下でも折り畳み形状を維持できる程度に燻蒸シートの滑り性を低下させると、シート同士のブロッキングによって施工時に燻蒸シートを引き出すことが難しくなる。
【０００６】
本発明は、燻蒸シート等のシートを容易に運搬でき、かつシートの残量が少なくなっても運搬時にその形状が崩れ難く、シートの取扱い性に優れたシート運搬品の提供を目的とする。
【課題を解決するための手段】
【０００７】
本発明は、前記課題を解決するために以下の構成を採用した。
［１］シートを巻き回したロール巻きシートと、前記ロール巻きシートを収納して運搬するシート運搬具とを備えたシート運搬品であって、
前記シート運搬具が、前記ロール巻きシートをその軸方向を水平にして回動可能に支持するシート支持部材と、前記ロール巻きシートを支持したシート支持部材を収納する収納本体と、前記収納本体の外面に設けられた肩掛けベルトと、を有することを特徴とするシート運搬品。
［２］前記シート運搬具が、前記収納本体を地面に固定する固定部材を有する、前記［１］に記載のシート運搬品。
［３］前記ロール巻きシートが、紙管にシートが巻き回されたロール巻きシートであり、前記紙管の両端が前記シート支持部材に支持される前記［１］または［２］に記載のシート運搬品。
【発明の効果】
【０００８】
本発明のシート運搬品は、燻蒸シート等のシートを容易に運搬でき、かつシートの残量が少なくなっても運搬時にその形状が崩れ難く、シートの取扱い性に優れている。
【図面の簡単な説明】
【０００９】
【図１】本発明のシート運搬品の一例を示した斜視図である。
【図２】図１のシート運搬品の背面を下にしたときの斜視図である。
【図３】図１のシート運搬品のシート支持部材の斜視図である。
【図４】図３のシート支持部材の正面図（Ａ）、および直線Ｉ−Ｉ’における断面図（Ｂ）である。
【図５】シート支持部材でロール巻きシートを支持した様子を示した正面図（Ａ）および断面図（Ｂ）である。
【図６】シート支持部材でロール巻きシートを支持した様子を示した正面図（Ａ）および断面図（Ｂ）である。
【図７】図１のシート運搬品からシートを引き出した様子を示した斜視図である。
【図８】シートを折り畳んで紙管に巻き回してロール巻きシートを作成する工程を示した斜視図である。
【図９】シートを折り畳んで紙管に巻き回してロール巻きシートを作成する工程を示した斜視図である。
【図１０】本発明のシート運搬品のシート支持部材の他の例を示した断面図（Ａ）、および正面図（Ｂ）、（Ｃ）である。
【発明を実施するための形態】
【００１０】
本発明のシート運搬品は、特に松くい虫の燻蒸駆除の施工に有効な運搬品である。以下、本発明のシート運搬品の一例を示して詳細に説明する。
本実施形態のシート運搬品１は、図１、図２および図６に示すように、紙管２ａにシート２ｂを巻き回したロール巻きシート２と、ロール巻きシート２を収納して運搬するシート運搬具３とを備えている。
シート運搬具３は、ロール巻きシート２をその軸方向を水平にして回動可能に支持するシート支持部材１０と、ロール巻きシート２を支持したシート支持部材１０を収納する収納本体２０と、収納本体２０の外面に設けられた一対の肩掛けベルト３０と、を有している。
【００１１】
シート支持部材１０は、収納本体２０内で、ロール巻きシート２をその軸方向を水平にして回動可能に支持する部材である。
シート支持部材１０は、図１、図３および図４に示すように、平板１１と、平板１１から各々垂直に立ち上がり、互いに向かい合うように設けられた側板１２、１３とを有する。
【００１２】
平板１１の形状は、この例では矩形状である。ただし、平板１１の形状は、支持するロール巻きシート２を安定に支持できる形状であれば矩形状には限定されない。
側板１２、１３の形状は、この例では、平板１１から立ち上がる矩形状の部分と、その部分の上側に位置する半円形状の部分とからなる形状である。ただし、側板１２、１３の形状は、支持するロール巻きシート２を安定に支持できる形状であれば前記形状には限定されない。
【００１３】
側板１２と側板１３には、それらのそれぞれ内側の面から突き出すように、下側支持部１４、１５が形成されている。
下側支持部１４、１５の形状は、この例では下向きに凸の半円環状である。シート支持部材１０では、図５に示すように、下側支持部１４、１５のそれぞれの凹状の部分に、ロール巻きシート２の紙管２ａの両端部分を嵌め込むことができるようになっている。また、図６に示すように、下側支持部１４、１５に嵌め込まれた紙管２ａの両端部分の上側に、上向きに凸の半円環状の上側支持部１６、１７を設置できるようになっている。
このように、シート支持部材１０は、下側支持部１４、１５と上側支持部１６、１７によって、紙管２ａの両端部分を上下から挟んだ状態で、ロール巻きシート２を回動可動に水平に支持できるようになっている。下側支持部１４、１５および上側支持部１６、１７の形状は、ロール巻きシート２を回動可動に支持できる形状であれば、半円環状には限定されない。
【００１４】
シート支持部材１０の長さａ（図３）は、運搬するロール巻きシート２の長さに応じて設定すればよく、５０〜１２０ｃｍが好ましい。シート支持部材１０の長さａが下限値以上であれば、より大きなサイズのシート２ｂの運搬が容易になる。また、シート支持部材１０の長さａが上限値以下であれば、収納本体２０の大きさをより小さくできるため、シート運搬品１の運搬が容易になるうえ、シート２ｂの取り扱い性も向上する。
シート支持部材１０の幅ｂ（図３）は、長さａと同様の理由で、２５〜６０ｃｍが好ましい。
シート支持部材１０の高さｃ（図４（Ａ））は、長さａと同様の理由で、２５〜６０ｃｍが好ましい。
【００１５】
収納本体２０は、ロール巻きシート２を回動可能に支持したシート支持部材１０を収納する役割を果たす。
収納本体２０は、図１に示すように、上部に開口が形成された収納部２１と、収納部２１の上部の開口を開閉自在に閉じるカバー２２を有する。カバー２２は、収納本体２０の背面２０ｂ側から前面２０ａ側に閉じるように設けられている。
【００１６】
収納本体２０の形状は、シート支持部材１０の形状に応じて適宜選択すればよく、この例では、側面２０ｃの形状および断面形状がシート支持部材１０の側板１２、１３と同様の形状となった筒状である。
収納部２１およびカバー２２の材質は、リュックサック等に通常使用されるものを使用することができ、例えば、ナイロン等が挙げられる。
【００１７】
また、収納本体２０は、図１に示すように、収納したシート支持部材１０に支持されたロール巻きシート２が振動等により回動してシート２ｂが収納本体２０内で乱れるのを制止するシート制止部材２３を有している。
この例のシート制止部材２３は、収納本体２０の前面２０ａ側から背面２０ｂ側に向かう制止ベルト２３ａと、収納本体２０の背面２０ｂ側から前面２０ａ側に向かう制止ベルト２３ｂとを有しており、制止ベルト２３ａと制止ベルト２３ｂとを着脱自在に接着固定することで、シート２ｂの残量に応じてロール巻きシート２を押さえて制止できるようになっている。制止ベルト２３ａと制止ベルト２３ｂを接着固定する機構は、特に限定されず、例えば、マジックテープ（登録商標）によるもの等が挙げられる。
シート制止部材２３の数は特に限定されず、煩雑な作業を避ける点から、ロール巻きシート２を安定に制止できる範囲内でできるだけ少なくすることが好ましい。
【００１８】
シート運搬品１では、図７に示すように、収納本体２０内に、ロール巻きシート２を支持したシート支持部材１０を収納した状態で、ロール巻きシート２を回動させて、シート２ｂを収納本体２０の上部の開口から外部に引き出せるようになっている。
収納本体２０には、シート２ｂを切断するカッターが備えられていることが好ましい。
【００１９】
また、収納本体２０には、図２に示すように、カバー２２で収納本体２０を閉じた状態で、収納部２１とカバー２２を固定するベルト固定具２５が設けられていることが好ましい。これにより、運搬時の振動等によって、収納本体２０からシート支持部材１０やロール巻きシート２が飛び出すことを防止できる。
ベルト固定具２５の形態は、特に限定されず、この例では、雄部２５ａと雌部２５ｂとを装着することにより固定する簡便な固定具である。このような固定具は、ファスナーやマジックテープ（登録商標）に比べて、土等の付着による固定性能の低下を防ぐ点で有利である。
ベルト固定具２５の数は特に限定されず、装着の際の混乱および煩雑な作業を避ける点から、収納部２１とカバー２２を安定に固定できる範囲内でできるだけ少なくすることが好ましい。
【００２０】
収納本体２０の底面２０ｄには、図２に示すように、一対の肩掛けベルト３０が設けられている。つまり、シート運搬具品１は、肩掛けベルト３０により、収納本体２０の底面２０ｄを背負い面として背中に背負って運搬できるようになっている。
肩掛けベルト３０の形態は、収納本体２０を背負える形態であれば特に限定されず、リュックサック等に通常使用される肩掛けベルトを使用できる。
また、本実施形態のシート運搬品１は、両肩用に一対の肩掛けベルト３０が設けられているが、この形態には限定されず、片肩用に肩掛けベルト３０が１つだけ設けられていてもよい。
肩掛けベルト３０の材質は、リュックサック等に通常使用されるものが使用でき、例えば、ナイロン等が挙げられる。
【００２１】
また、シート運搬品１は、図３に示すように、シート支持部材１０の平板１１の両端側に、貫通孔１８がそれぞれ形成されている。収納本体１０の底面２０ｄには、図２に示すように、シート支持部材１０の貫通孔１８に対応する位置に、それぞれ貫通孔２４が形成されている。シート運搬品１では、収納本体２０の底面２０ｄを下にして地面に置いた状態で、シート支持部材１０の貫通孔１８と、それに対応する収納本体２０の貫通孔２４に、収納本体２０を地面に固定する固定部材４０の挿通部４１を挿通して地面に突き刺せるようになっている。これにより、シート運搬品１を置く場所が急な斜面であっても、シート運搬品１が転がり落ちたり滑り落ちたりすることを防いで安定に地面に固定できる。
【００２２】
紙管２ａは、シート２ｂを巻き回す芯となる部材である。紙管２ａの断面形状は、ロール巻きシート２を回動させやすい点から、円形状が好ましい。
【００２３】
シート２ｂの種類および形状は特に限定されない。シート運搬品１は、特に松くい虫の燻蒸の際に伐倒現場まで運搬する燻蒸シート等のように、大きなサイズの帯状のシートの運搬に好適である。ここで、帯状のシートとは、幅に対して５倍以上の長さを有するシート（例えば幅４ｍ×長さ３０ｍ程度のシート）を意味する。このような帯状のシート２ｂを紙管２ａに巻き回してロール巻きシート２とし、シート支持部材１０に支持した状態で収納本体２０に収納して運搬することにより、ロール巻きシート２を型崩れさせずに容易に運搬できる。ただし、シート２ｂは帯状には限定されず、例えば、正方形であってもよい。
【００２４】
ロール巻きシート２においてシート２ｂを巻き回す方法としては、以下に示す方法（１）または方法（２）が好ましい。
（１）図８（Ａ）に示すように、帯状のシート２ｂを、その長手方向に沿ってガゼット折りにし、さらにそれを長手方向に沿ってに半折し、図８（Ｂ）に示すように、その折り畳んだ状態のシート２ｂを長手方向に紙管２ａに巻き回してロール巻きシート２とする方法。ここで、前記ガゼット折りでは、シート２ｂの短手方向の両方の端縁２ｃが、シート２ｂを短手方向に二等分する中央部分２ｄに向かってそれぞれ折り返されて揃えられ、かつ前記両方の端縁２ｃと前記中央部分２ｄの中間に位置する中間部分２ｅ（折り返されて形成された山折部分）が内部側に折り返されて前記中央部分２ｄで揃えられる。
（２）図９（Ａ）に示すように、帯状のシート２ｂを、その長手方向に沿って半折し、さらに直線ｘ、ｙ、ｚに沿って順に折り畳み、図９（Ｂ）に示すように、その折り畳んだ状態のシート２ｂを長手方向に紙管２ａに巻き回してロール巻きシート２とする方法。
【００２５】
方法（１）または方法（２）によりシート２ｂを巻き回してロール巻きシート２とすれば、より幅の長いシートの運搬が容易になり、またシートを引き出して所望の大きさに切断すること等の作業が容易になり取り扱い性が向上する。例えば、幅４ｍ×長さ３０ｍのシート２ｂを方法（１）または方法（２）によってロール巻きシート２とした場合、ロール巻きシート２におけるシート２ａの軸方向の長さは５０ｃｍとなる。
ロール巻きシート２におけるシート２ａの軸方向の長さは、シートの取り扱い性の点から、３０〜１１０ｃｍが好ましい。
なお、シート２ｂを巻き回す方法は、前記方法（１）および方法（２）には限定されない。例えば、充分に幅の短いシートであれば、そのまま紙管２ａに巻き回してもよい。
【００２６】
シート２ｂには、使用する際の大きさに切断するのを補助するミシン目加工が施されていることが好ましい。方法（１）、（２）のようにシート２ｂを巻き回した場合、引き出したシート２ｂは複数枚のシートが重なった状態であるが、シート２ｂにミシン目加工が施されていれば所望の大きさに切断することが容易になる。
【００２７】
以下、シート運搬品１を使用した松くい虫の燻蒸駆除の施工を例にして、シート運搬品１の作用を説明する。
シート運搬品１を使用した松くい虫の燻蒸駆除の施工方法としては、例えば、以下に示す工程（Ｉ）〜（IV）を有する方法が挙げられる。
工程（Ｉ）：図１に示すように、シート２ｂ（松くい虫燻蒸シート）を巻き回したロール巻きシート２を、シート支持部材１０により支持した状態で収納本体２０内に収納して運搬する工程。
工程（II）：図７に示すように、シート２ｂを収納本体２０から引き出し、伐倒材を覆うのに必要な大きさに切断して該伐倒材を覆う工程。
工程（III）：収納本体２０から引き出したシート２ｂの未使用部分を収納本体２０内に再収納する工程。
工程（IV）：シート２ｂで覆われた前記伐倒材に薬剤を注入して燻蒸駆除する工程。
【００２８】
松くい虫の燻蒸駆除では、シート２ｂとして、通常、厚さ０．０５〜０．１０ｍｍ、幅４ｍ×長さ３０ｍ程度の帯状の松くい虫燻蒸シート（以下、単に「燻蒸シート」という。）が使用される。このシート２ｂを伐倒現場まで運搬し、該伐倒現場で随時必要な分だけ切断して使用する。
燻蒸シートは、松くい虫の燻蒸駆除に通常使用されるシートを使用でき、燻蒸処理後に燻蒸シートを回収する必要がなく環境面に優れる点から、生分解性の燻蒸シートが好ましい。生分解性の燻蒸シートとしては、例えば、特開２００３−２３１８２０号公報、特開２００３−２８４４７８号公報、特開２００３−２９２６４１号公報、特開２００３−３２０６２０号公報、特開２００４−１０６９３号公報、特開２００５−７３５８１号公報、特開２００５−１０３８７２号公報、特開２００５−１５４４５６号公報、特開２００５−２８７４５８号公報、特開２００６−２１３８３０号公報、特開２００６−２４６７８６号公報等に記載の燻蒸シートが挙げられる。
【００２９】
工程（Ｉ）では、シート２ｂを巻き回したロール巻きシート２をシート支持部材１０で支持した状態で収納本体２０内に収納して運搬する。
ロール巻きシート２は、前記方法（１）または方法（２）によって、シート２ｂを折り畳んだ後に紙管２ａに巻き回して作成することが好ましい。
【００３０】
次いで、図５に示すように、ロール巻きシート２の紙管２ａの両端部分をシート支持部材１０の下側支持部１４、１５に嵌め込み、図６に示すように、下側支持部１４、１５に嵌め込んだ紙管２ａの両端部分の上側に上側支持部１６、１７を設置して、ロール巻きシート２を回動可能に支持する。そして、ロール巻きシート２を支持したシート支持部材１０を収納本体２０内に収納する。収納本体２０内では、図１に示すように、シート制止部材２３によりロール巻きシート２を押さえることが好ましい。これにより、運搬中の振動等によりロール巻きシート２が回動して収納本体２０内でシート２ｂが乱れることを防ぐことが容易になる。
ロール巻きシート２をシート支持部材１０で支持した状態で収納本体２０内に収納する方法は前記方法には限定されず、シート支持部材１０が収納本体２０内に収納された状態でロール巻きシート２をシート支持部材１０に設置する方法でもよい。
【００３１】
その後、カバー２２を収納本体２０の前面２０ａ側へと垂らし、図２に示すように、収納本体２０を背面２０ｂが下になるようにシート運搬品１を回転させ、ベルト固定具２５によりカバー２２を閉じた状態で固定する。そして、肩掛けベルト３０によりシート運搬品１を背負って伐倒現場まで運搬する。
【００３２】
シート２ｂを松の伐倒現場まで運搬した後、工程（II）では、シート２ｂを収納本体２０から引き出し、伐倒材を覆うのに必要な大きさに切断して伐倒材を覆う。
運搬後、図１に示すように、収納本体２０の底面２０ｄを下にしてシート運搬品１を置き、カバー２２を開く。このとき、シート支持部材１０の貫通孔１８と、収納本体２０の貫通孔２０に、固定部材４０の挿通部４１を挿通して地面に突き刺し、収納本体２０を地面に固定することが好ましい。松くい虫の燻蒸駆除は山の斜面で施工させることが多いが、これにより急な斜面で燻蒸駆除を施工する場合でもシート運搬品１が転げ落ちたり、滑り落ちたりすることを防ぐことができ、施工がより容易になる。
【００３３】
次いで、シート制止部材２３を外し、図７に示すように、ロール巻きシート２を回動させてシート２ｂを収納本体２０から引き出す。そして、引き出したシート２ｂを伐倒材に被せ、該伐倒材を覆うのに必要な大きさに切断し、拡げて伐倒材を覆う。工程（II）では、収納本体２０から引き出したシート２ｂを必要な部分に切り取った後に伐倒材に被せて伐倒材を覆ってもよい。ただし、計測等を行わずに燻蒸駆除に必要な分だけシート２ｂを切断することが容易である点から、前述のように伐倒材に被せた後にシート２ｂを切断する方が好ましい。
【００３４】
工程（III）では、収納本体２０から引き出したシート２ｂのうち、未使用の部分を収納本体２０内に再収納する。
工程（II）では、収納本体２０からシート２ｂを必要以上に引き出す必要がなく、シート２ｂを引き出した状態でも残りのロール巻きシート２には型崩れが起きていないため、ロール巻きシート２を反対に回動させるだけで、シート２ｂの未使用部分を再度巻き回して容易に収納できる。その後、再度シート制止部材２３によりロール巻きシート２を押さえることが好ましい。
【００３５】
工程（IV）では、シート２ｂで覆われた伐倒材に薬剤を注入し、松くい虫を燻蒸駆除する。
使用する薬剤としては、松くい虫の燻蒸駆除に通常使用される薬剤を使用でき、例えば、ＮＣＳ（商品名、ヤシマ産業（株）製）等が挙げられる。
薬剤を伐倒材に注入する方法は、燻蒸駆除が充分に行えるものであれば特に限定されず、薬剤が拡散することを防ぎやすい点から、伐倒材を覆ったシート２ｂをめくり上げて伐倒材の上部に薬剤を撒いた後、直ぐに燻蒸シート２ｂで該伐倒材を密封する方法が好ましい。
【００３６】
伐倒材の密封方法は特に限定されず、伐倒材を覆ったシート２ｂの裾の部分に土等を被せる方法等が挙げられる。その後、２週間程度放置することにより燻蒸駆除が完了する。シート２ｂとして生分解性の燻蒸シートを使用している場合は、シート２ｂの回収等の後処理は必要ない。
【００３７】
なお、工程（III）については、工程（II）でシート２ｂの必要な部分を切断した後に行えばよく、工程（IV）の前に行ってもよく、工程（IV）で薬剤を注入して伐倒材を密封した後に行ってもよい。
【００３８】
特許文献３および４のような従来のシート運搬品では、前述したように、シートの残量が少なくなった時に、運搬時の振動等によってシートが型崩れすることがある。これに対し、本発明のシート運搬品は、シートをロール状に巻き回した状態でその軸方向を水平にして収納して運搬するので、シートの残量が少なくなっても振動等によりシートが型崩れし難い。また、本発明のシート運搬品は背負って容易に運搬でき、さらにシート運搬品の収納本体内でロール巻きシートを回動させてシートを引き出して使用できるため、シートの取り扱い性にも優れている。
【００３９】
なお、本発明のシート運搬品は、前述したシート運搬品１には限定されない。例えば、シート運搬品１は、１本のロール巻きシート２を収納して運搬する運搬品であったが、２本以上のロール巻きシートを運搬できるシート運搬品としてもよい。
また、シート支持部材の形態も、ロール巻きシートをその軸方向を水平にして回動可能に支持できる形態であれば前記シート支持部材１０には限定されない。例えば、図１０（Ａ）に示すように、側板１２および側板１３に、それぞれ挿入軸１９を挿入し、さらにその挿入軸１９をロール巻きシート２の紙管２ａ内に挿入して、ロール巻きシート２を回動可能に支持するシート支持部材１０Ａであってもよい。また、図１０（Ｂ）に示すように、収納本体２０の貫通孔２４に挿通して地面に突き刺し、収納本体２０を地面に固定する固定部材４２が平板１１の底面に設けられたシート支持部材１０Ｂであってもよい。また、図１０（Ｃ）に示すように、平板が平板１１ａと平板１１ｂの２枚に分かれているシート支持部材１０Ｃであってもよい。
【００４０】
また、シート運搬品１では、肩掛けベルト３０が収納本体２０の底面に設けられていたが、収納本体２０の背面２０ｂに肩掛けベルトが設けられたシート運搬品でもよい。
また、収納本体を地面に固定する固定部材は、前述したシート運搬品１のように、シート支持部材１０と収納本体２０を両方同時に固定するものには限定されず、収納本体のみを固定するものでもよい。また、収納本体を地面に固定する固定部材を有していないシート運搬品でもよい。
【００４１】
また、前記ロール巻きシート２は、シート２ｂを紙管２ａに巻き回したものであったが、紙管を使用せずにシートのみを巻き回してロール巻きシートとしたものであってもよい。この場合、シート支持部材としては、前記シート支持部材１０Ａ等が使用できる。ロール巻きシート２は、シート２ｂの残量が少なくなっても安定に支持しやすい点から、紙管２ａにシート２ｂが巻き回されている形態の方が好ましい。
また、紙管２ａの代わりに、内部に空洞を有しない棒状の軸部材を使用してもよい。
【符号の説明】
【００４２】
１  シート運搬品
２  ロール巻きシート
２ａ  紙管
２ｂ  シート
３  シート運搬具
１０  シート支持部材
２０  収納本体
３０  肩掛けベルト
４０  固定部材
【図１】
2012020819.tif 000003
【図２】
2012020819.tif 000004
【図３】
2012020819.tif 000005
【図４】
2012020819.tif 000006
【図５】
2012020819.tif 000007
【図６】
2012020819.tif 000008
【図７】
2012020819.tif 000009
【図８】
2012020819.tif 000010
【図９】
2012020819.tif 000011
【図１０】
2012020819.tif 000012